(57)【要約】【課題】簡易な構成によって、通信に用いられるループ状アンテナを安定的に、かつ確実に固定し、高感度、かつ高信頼性の送受信ができる情報端末装置を提供すること。【解決手段】筐体本体１と筐体蓋部６とを組立て、形成される筐体内部空間に各種電子部品が組込まれ、少なくとも非接触による情報通信を行うことができる情報端末装置１００において、筐体本体１と筐体蓋部６とが嵌合して接合する接合部分の間にループ状アンテナ５を配置する。【選択図】        図２
2006172010.tif 000002
【特許請求の範囲】
【請求項１】
筐体本体と筐体蓋部とを組立てて形成される筐体内部空間に各種電子部品が組込まれ、少なくとも非接触による情報通信を行う情報端末装置において、
前記筐体本体と前記筐体蓋部とが嵌合して接合する接合部分の間にループ状アンテナを配置することを特徴とする情報端末装置。
【請求項２】
前記ループ状アンテナは、情報記憶媒体用のアンテナであることを特徴とする請求項１に記載の情報端末装置。
【請求項３】
前記筐体本体と前記筐体蓋部とはヒンジによって結合され、前記ヒンジによって前記筐体蓋部が開閉することを特徴とする請求項１または２に記載の情報端末装置。
【請求項４】
前記筐体本体の接合部分と前記筐体蓋部の接合部分との少なくとも一方に溝を形成し、該溝に前記ループ状アンテナを配置することを特徴とする請求項１〜３のいずれか一つに記載の情報端末装置。
【請求項５】
前記ループ状アンテナと前記筐体内部空間に組込まれた各種電子部品とを接続する前記溝の所定位置に切欠きを形成したことを特徴とする請求項１〜４のいずれか一つに記載の情報端末装置。
【請求項６】
前記筐体本体の接合部分と前記筐体蓋部の接合部分との間に弾性体を配置することを特徴とする請求項１〜５のいずれか一つに記載の情報端末装置。
【請求項７】
前記弾性体を前記溝に配置することを特徴とする請求項１〜６のいずれか一つに記載の情報端末装置。
【請求項８】
前記弾性体は、前記筐体本体の接合部分と前記筐体蓋部の接合部分との双方に嵌合する形状を有することを特徴とする請求項６に記載の情報端末装置。
【請求項９】
前記弾性体は、撥水性の部材で形成されていることを特徴とする請求項６〜８のいずれか一つに記載の情報端末装置。
【請求項１０】
前記筐体蓋部は、前記筐体本体に設けられる収納空間を外部からカバーする蓋部であり、該蓋部と前記筐体本体とが接合する接合部分に前記ループ状アンテナを配置することを特徴とする請求項１〜９のいずれか一つに記載の情報端末装置。
【発明の詳細な説明】
【技術分野】
【０００１】
本発明は、相互にアンテナを接近させて電波を送受信し、非接触による情報交換を行うことができる情報端末装置に関するものである。
【背景技術】
【０００２】
近年、小型の集積回路と無線通信用のアンテナとを組み合わせたＲＦＩＤ（Radio Frequency Identification）タグまたはカード状の樹脂製板と該ＲＦＩＤタグを埋設した非接触ＩＣカード等の外部情報記憶媒体と、該外部情報記憶媒体に記憶された情報を読取り、あるいは該外部情報記憶媒体に所望の情報を書込む機能を備えたＰＤＡ（Personal Digital Assistant）、または非接触ＩＣカードリーダライタ等の携帯型情報端末装置とを用いたＲＦＩＤシステムが注目されている。
【０００３】
一般に、この外部情報記憶媒体には、静電誘導方式による無線通信を行い、０〜２[ｍｍ]程度の通信距離を有する密着型と、４００〜５３０[ｋＨｚ]の電磁波を用いた電磁結合方式による無線通信を行い、１０[ｃｍ]程度までの通信距離を有する近傍型と、１２５〜１３５[ｋＨｚ]または１３．５６[ＭＨｚ]の電磁波を用いた電磁誘導方式の無線通信を行い、１０〜１００[ｃｍ]程度の通信距離を有する近傍型と、２．４５[ＧＨｚ]のマイクロ波または光を用いたマイクロ波方式または光方式の無線通信を行い数メール程度の通信距離を有する遠隔型とがある。この携帯型情報端末装置は、所定の交信領域内に存在する外部情報記憶媒体との間において送受信される所定の電波を介して、この外部情報記憶媒体に記憶された情報を読取り、あるいは該外部情報記憶媒体に所望の情報を書込む。
【０００４】
このような外部情報記憶媒体と携帯型情報端末装置とを用いたＲＦＩＤシステムには、複数の外部情報記憶媒体にそれぞれ記憶された各情報を一括して認識できる点、外部情報記憶媒体に記憶できる情報量（６４〜数百バイト）が多い点、外部情報記憶媒体に記憶された情報を更新できる点、外部情報記憶媒体が超小型である点、外部情報記憶媒体と携帯型情報端末装置との間に障害物が存在しても通信が可能である点等の利点がある。このため、流通業界をはじめとする様々な業種において、このＲＦＩＤシステムの有益性が注目されている。例えば、無線通信用のコイル型アンテナが設けられたアンテナ基板を装置筐体に取付けた情報端末装置がある（特許文献１参照）。
【０００５】
【特許文献１】特開２００１−１０１３５３号公報
【発明の開示】
【発明が解決しようとする課題】
【０００６】
ところで、情報端末装置の筐体内部に設けられたアンテナ基板に接続されるループ状アンテナは、情報端末装置の小型化の要求に伴い小型化され、ループ状アンテナの開口面積は、小さくなり、ループ状アンテナの開口面積が小さくなることによって、情報端末装置の送受信感度が低下するという問題点があった。
【０００７】
また、ループ状アンテナを情報端末装置の筐体内部の構成物に添付するように設置すると、長時間の情報端末装置の使用によって、ループ状アンテナの位置ずれ、または変形等が起こり、情報端末装置の電気的特性が変化して送受信機能の信頼性が低下するという問題点があった。
【０００８】
本発明は、上記に鑑みてなされたものであって、情報端末装置の筐体の接合部分にアンテナを配置し、アンテナの開口面積を増大させ、かつアンテナを安定した場所に配置し、高感度かつ信頼性の高い通信を行うことができる情報端末装置を提供することを目的とする。
【課題を解決するための手段】
【０００９】
上記目的を達成するために、請求項１にかかる情報端末装置は、筐体本体と筐体蓋部とを組立てて形成される筐体内部空間に各種電子部品が組込まれ、少なくとも非接触による情報通信を行うことができる情報端末装置において、前記筐体本体と前記筐体蓋部とが嵌合して接合する接合部分の間にループ状アンテナを配置することを特徴とする。
【００１０】
また、請求項２にかかる情報端末装置は、上記の発明において、前記ループ状アンテナは、情報記憶媒体用のアンテナであることを特徴とする。
【００１１】
また、請求項３にかかる情報端末装置は、上記の発明において、前記筐体本体と前記筐体蓋部とはヒンジによって結合され、前記ヒンジによって前記筐体蓋部が開閉することを特徴とする。
【００１２】
また、請求項４にかかる情報端末装置は、上記の発明において、前記筐体本体の接合部分と前記筐体蓋部の接合部分との少なくとも一方に溝を形成し、前記溝に前記ループ状アンテナを配置することを特徴とする。
【００１３】
また、請求項５にかかる情報端末装置は、上記の発明において、前記ループ状アンテナと前記筐体内部空間に組込まれた各種電子部品とを接続する前記溝の所定位置に切欠きを形成したことを特徴とする。
【００１４】
また、請求項６にかかる情報端末装置は、上記の発明において、前記筐体本体の接合部分と前記筐体蓋部の接合部分との間に弾性体を配置することを特徴とする。
【００１５】
また、請求項７にかかる情報端末装置は、上記の発明において、前記弾性体を前記溝に配置することを特徴とする。
【００１６】
また、請求項８にかかる情報端末装置は、上記の発明において、前記弾性体は、前記筐体本体の接合部分と前記筐体蓋部の接合部分との双方に嵌合する形状を有することを特徴とする。
【００１７】
また、請求項９にかかる情報端末装置は、上記の発明において、前記弾性体は、撥水性の部材で形成されていることを特徴とする。
【００１８】
また、請求項１０にかかる情報端末装置は、上記の発明において、前記筐体蓋部は、前記筐体本体に設けられる収納空間を外部からカバーする蓋部であり、該蓋部と前記筐体本体とが接合する接合部分に前記ループ状アンテナを配置することを特徴とする。
【発明の効果】
【００１９】
本発明にかかる情報端末装置は、筐体本体と筐体蓋部とが嵌合して接合する接合部分にループ状アンテナを配置するようにしているので、簡易な構成で高感度かつ信頼性の高い情報交換が行うことができるという効果を奏する。
【発明を実施するための最良の形態】
【００２０】
以下に添付図面を参照して、この発明にかかる情報端末装置の好適な実施の形態を詳細し説明する。なお、この実施の形態によりこの発明が限定されるものではない。また、図面の記載において、同一部分には同一の符号を付している。
【００２１】
（実施の形態１）
図１は、この発明の実施の形態１である情報端末装置１００の概要構成を示すブロック図である。図１において、この情報端末装置１００は、入力部１２７と、外部通信部１２６と、ストレージデバイス１２５と、無線通信用のアンテナ５と、ＲＦＩＤ処理部１３１と、光学読取処理部１２４と、表示部２と、音声入出力部１２３と、制御部１３０と、記憶部１２９と、無線部１２８と、無線通信用のアンテナ１３３とを有す。入力部１２７、外部通信部１２６、カードインターフェース１２５、ＲＦＩＤ処理部１３１、光学読取処理部１２４、表示部２、音声入出力部１２３、無線部１２８、および記憶部１２９は、制御部１３０に電気的に接続され、アンテナ５は、ＲＦＩＤ処理部１３１に電気的に接続され、アンテナ１３３は、無線部１２８に電気的に接続される。また、制御部１３０は、入力部１２７、外部通信部１２６、カードインターフェース１２５、ＲＦＩＤ処理部１３１、光学読取処理部１２４、表示部２、音声入出力部１２３、無線部１２８、および記憶部１２９を制御する。
【００２２】
入力部１２７は、外部情報記憶媒体に記録された情報を読取る処理（情報読取処理）を指示する指示情報（読取指示情報）、外部情報記憶媒体に書込む情報（書込情報）と該外部情報記憶媒体に該書込情報を書込む処理（情報書込処理）を指示する指示情報とを含む書込指示情報、また外部の光学情報記憶媒体の情報を読取る処理（光学情報読取処理）を指示する指示情報（光学読取指示情報）を入力する複数の操作ボタン４Ａを有し、情報端末装置１００の装置筐体に配置される。たとえば、操作者がボタン操作によって操作ボタン４Ａから読取指示情報を入力すると、入力部１２７は、この読取指示情報の入力を受け付けるとともに、受け付けた読取指示情報を制御部１３０に送出する。また、操作者がボタン操作によって操作ボタン４Ａから書込指示情報を入力すると、入力部１２７は、この書込指示情報を受け付けるとともに、受け付けた書込指示情報を制御部１３０に送出する。また、操作者がボタン操作によって操作ボタン４Ａから光学読取指示情報を入力すると、入力部１２７は、この光学読取指示情報を受け付けるとともに、受け付けた光学読取指示情報を制御部１３０に送出する。
【００２３】
外部通信部１２６は、ＲＳ２３２Ｃ、ＵＳＢ、またはＩＥＥＥ１３９４等の外部インターフェース、あるいはＩｒＤＡ規格に準拠した赤外線通信インターフェース等を有し、外部のホストシステム（図示せず）、またはプリンタ等の周辺機器（図示せず）に対して情報通信を行う。外部通信部１２６は、情報読取処理によって読み取られた情報等が制御部３０から入力された場合、制御部１３０の制御のもと、この制御部１３０から入力された情報を外部のホストシステム、または周辺機器に送出する。また、外部通信部１２６は、制御部３０の処理動作を制御する各種情報が外部のホストシステムから入力された場合、この外部のホストシステムから入力された情報を制御部１３０に送出する。なお、外部通信部１２６は、外部のホストシステムまたは周辺機器の各端子に電気的に接続できる共用端子を用いてもよい。
【００２４】
カードインターフェース１２５は、操作者がカードインターフェース１２５に着脱自在に挿入した記憶媒体１３２に対し、制御部１３０の制御のもと、制御部１３０から入力された情報を記憶するよう機能する。また、カードインターフェース１２５は、制御部１３０の制御のもと、この記憶媒体１３２に記憶された情報を読取るように機能する。なお、このカードインターフェース１２５に着脱自在に挿入される記憶媒体１３２として、コンパクトフラッシュ（登録商標）カード、スマートメディア、マルチメディアカード、またはＳＤメモリカード等の各種記憶媒体が用いられる。
【００２５】
アンテナ５は、アルミニウム、チタン−ニッケル合金、銅合金等の金属を絶縁シートにプリントした螺旋状のループ状アンテナであり、ＲＦＩＤ処理部１３１の制御のもと、所定の交信領域内に存在する外部情報記憶媒体との間において所定の電波を送受信するように機能する。この場合、アンテナ５は、ＲＦＩＤ処理部３１から入力された電気信号に対応する所定の電波を出力するとともに、外部情報記憶媒体から出力された電波に対応する所定の電気信号をＲＦＩＤ処理部１３１に送出する。
【００２６】
ＲＦＩＤ処理部１３１は、制御部１３０の制御のもと、アンテナ５に電気信号を送出してアンテナ５から所定の電波を出力させるように機能する。この場合、ＲＦＩＤ処理部１３１は、制御部１３０の制御のもと、アンテナ５に送出する電気信号を制御してアンテナ５から所定の電波を出力させ、所望の無線通信を行う。また、ＲＦＩＤ処理部１３１は、アンテナ５と外部情報記憶媒体との間にて送受信される所定の電波を介して、該外部情報記憶媒体に対する情報読取処理、または情報書込処理を行うように機能する。
【００２７】
たとえば、入力部１２７から入力された読取指示情報が、制御部１３０を介してＲＦＩＤ処理部１３１に送出された場合、ＲＦＩＤ処理部１３１は制御部１３０の制御のもと、この読取指示情報に対応する電気信号を必要に応じて変調する。その後、ＲＦＩＤ処理部１３１は、この電気信号をアンテナ５に送出するとともに、アンテナ５に対して、この電気信号に対応する所定の電波を出力する制御を行う。この場合、アンテナ５は、ＲＦＩＤ処理部１３１の制御のもと、この電気信号に対応する所定の電波を外部情報記憶媒体に送信する。つぎに、アンテナ５は、この読取指示情報をもとに外部情報記憶媒体から出力された所定の電波を受信するとともに、受信した所定の電波に対応する電気信号をＲＦＩＤ処理部１３１に送出する。ここで、この外部情報記憶媒体から受信した所定の電波は、この外部情報記憶媒体に記憶された情報に対応する電気信号をアンテナ５から受信する。その後、ＲＦＩＤ処理部１３１は、このアンテナ５から入力された電気信号を必要に応じて復調し、この外部情報記憶媒体に記憶された情報として、この電気信号をもとに得られた情報を制御部１３０に送出する。これによって、ＲＦＩＤ処理部１３１は、この外部情報記憶媒体に対する情報読取処理を完了する。
【００２８】
一方、入力部２７から入力された書込指示情報が、制御部１３０を介してＲＦＩＤ処理部３１に送出された場合、ＲＦＩＤ処理部１３１は、制御部１３０の制御のもと、この書込指示情報に対応する電気信号を必要に応じて変調する。その後、ＲＦＩＤ処理部１３１は、この電気信号をアンテナ５に送出するとともに、アンテナ５に対して、この電気信号に対応する所定の電波を外部情報記憶媒体に送信する。この場合、この外部情報記憶媒体は、アンテナ５との間で送受信される所定の電波を介して、この書込指示情報を受信し、受信した書込指示情報の指示のもと、該書込指示情報に対応する書込情報を記憶または上書きする。これによって、ＲＦＩＤ処理部１３１は、外部情報記記憶体に対する情報書込処理を完了する。
【００２９】
照明部１２３は、光学情報記憶媒体に対し赤外光、または可視光を投光する半導体レーザ素子、または発光ダイオード等の光源を有し、制御部１３０の制御のもと、光学情報記憶媒体に対して投光する。撮像部１２２は、この光学情報記憶媒体からの反射光を受光するイメージセンサ、またはフォトセンサ等の受光素子を有し、制御部１３０の制御のもと、光学情報記憶媒体からの反射光を受光する。光学読取処理部１２４は、ＣＣＤ、またはＣＭＯＳの光電変換素子を有し、制御部１３０の制御のもと、光学情報記憶媒体からの反射光をもとに光学情報記憶媒体の情報を読取り、読取った情報を制御部３０に送出する。
【００３０】
表示部２は、液晶表示装置（ＬＣＤ：Liquid Crystal Display）、または有機ＥＬパネル等の薄型ディスプレイの表示素子を有し、制御部１３０の制御のもと、光学読取処理部１２４によって読取情報に含まれる読取り情報、または入力部１２７から送出された書込指示を含む書込み情報等を表示出力する。また、表示部２は、撮像部１２１によって撮像された画像情報を表示出力する。なお、表示部２は、情報端末装置１００の処理動作に関するエラーが発生した場合、制御部１３０の制御のもと、このエラーを報知する所定のエラー表示を表示出力してもよい。
【００３１】
音声入出力部１２３は、マイクロフォンおよびスピーカを有し、制御部１３０の制御のもと、外部からの音声情報を入力するとともに、入力した音声情報を制御部１３０に送出する。また、音声入出力部１２３は、制御部１３０の制御のもと、制御部１３０から入力された音声情報を外部に出力する。なお、音声入出力部１２３は、制御部１３０の制御のもと、各構成部位による処理の開始または完了を報知する所定の報知音を出力し、または情報端末装置１００の処理動作に関するエラーが発生した場合に、制御部１３０の制御のもと、このエラー音を報知する所定のエラー音を出力してもよい。この場合、音声入出力部１２３は、上述した表示部２によるエラー表示の出力と同期して、このエラー表示に対応するエラー音を出力する。
【００３２】
制御部１３０は、メモリ部１２９を有する。メモリ部１２９は、処理プログラム等の各種データが予め記録されたＲＯＭと、各種演算パラメータ、外部情報記憶媒体、または光学情報記憶媒体から読取られた各種情報、書込み情報、あるいは音声情報等を記憶するＲＡＭとを有している。制御部１３０は、メモリ部１２９に記録された処理プログラムを実行するＣＰＵによって実現される。
【００３３】
無線部１２８は、アンテナ１３３を介して所定の領域内において無線ＬＡＮ機能を有し、制御部１３０の制御のもと、他の情報端末装置と交信を行い、互いのカードインターフェース１２５に記憶されている各種読取り情報、あるいは各種書込み情報を交換する。また、この交信によって、情報端末装置１００は、所定の領域内において、新規のパラメータの設定、あるいは新規のデータを含む情報交換を実行する。
【００３４】
上述したように、制御部１３０は、入力部１２７、外部通信部１２６、ＲＦＩＤ処理部１３１、およびメモリ部１２９の各処理または動作を制御する。この場合、制御部１３０は、これらの各構成部位に入出力される情報について所定の入出力制御を行い、かつこの情報に対して所定の情報処理を行う。なお、制御部１３０は、外部通信部１２６を介して、ＲＦＩＤ処理部１３１または光学読取処理部１２４から入力された情報を外部のホストシステムに送出し、その後、このホストシステムによって情報処理がなされた情報を受信してもよい。
【００３５】
図２は、図１に示した情報端末装置１００の組立分解図である。図２に示すように、上部筐体１と下部筐体６とは、全体の形状は箱状であり、所定の幅と所定の奥行きと所定の深さとによって所定の空間が形成されている。上部筐体１と下部筐体６とが嵌合して接合して形成される筐体内部空間に制御板４とＬＣＤ２とＬＣＤホルダ３とが収納される。下部筐体６の接合部分の全体には、所定の形状、所定の矩形状の溝が形成され、上部筐体１の接合部分の全体には、所定の形状、所定の矩形状の突き出しが形成されている。下部筐体６の矩形状の溝の形状と上部筐体１の矩形状の突き出しの形状とが対応するので、嵌合して接合する。アンテナ５は、下部筐体６の接合部分に形成された矩形状の溝の底部に配置され、上部筐体１と下部筐体６とが接合することによって固定される。
【００３６】
アンテナ５の外形はループ状であり、その断面形状は矩形状であり、下部筐体６に形成された矩形状の溝と同寸同形になっている。ところで、アンテナ５は、制御板４上に形成された送受信回路の接続部分に接続されるための突起を有し、この突起に対応して下部筐体６の接合部分に形成された溝の内壁の一部は、切り欠きを有している。
【００３７】
制御板４上に形成された送受信回路の接続部分には、アンテナ５が有する突起形状に対応した窪み形状が形成され、この突起と窪み４Ｂとが合致するようになっている。
【００３８】
制御板４は、全体が矩形の板状に形成され、下部筐体６に形成された内部空間に包含されて収納される。制御板４には、制御動作を実現する制御回路が形成され、この制御回路上に種々の電気部品、種々の機械部品等が配置されている。さらに制御板４上には入力操作を行う操作ボタン４Ａが複数設置され、上部筐体１は、この複数の操作ボタン４Ａ位置のそれぞれに対応した位置に複数の孔を有する。複数の操作ボタン４Ａは、それぞれ対応した複数の孔を貫通し、複数の操作ボタン４Ａ操作を筐体の外側から行えるようにしている。
【００３９】
ＬＣＤ２は、全体が矩形の段差を持った板状に形成され、この段差部分から入力端子２Ａが制御板４方向に向かって延長されている。ＬＣＤ２は、入力端子２Ａによって制御板４に接続され、入力端子２Ａを介して制御板４から表示信号を入力し、入力した表示信号にしたがって出力表示を行う。ＬＣＤホルダ３は、ＬＣＤ２の側面周囲を囲む矩形の枠であり、ＬＣＤ２を固定している。上部筐体１によって形成される内部空間は、ＬＣＤホルダ３を包含して収納する。上部筐体１は、ＬＣＤ２の表示面と同寸同形の窓を有し、下部筐体６と上部筐体１との接合時にＬＣＤ２の表示面と上部筐体１が有する窓とが嵌合する。
【００４０】
図３は、情報端末装置１００の平面図であり、図４は、図３に示す切断線Ａ−Ａで情報端末装置１００を切断した断面図である。図３および図４に示すように、アンテナ５は、上部筐体１の外周近傍の内側に配置され、アンテナ５の形状は、上部筐体１と下部筐体６との接合部分の形状と同様である。
【００４１】
また、図４によれば、下部筐体６の溝の幅とアンテナ５断面の幅とを一致させ、上部筐体１の凸状の突き出し部とアンテナ５断面の厚みとを加えた長さと下部筐体６の溝の深さとを一致させると、アンテナ５は、側面と上下面との両面から挟持されて固定されることになる。
【００４２】
図５は、図３に示す切断線Ｂ−Ｂで情報端末装置１００を切断した断面図である。図５に示すように、下部筐体６の凹形状の溝に切り欠きが形成され、アンテナ５の突起は、この切り欠きを介して制御板４の窪み４Ｂと連結している。また、アンテナ５から露出したアンテナ線７Ａ，７Ｂは、ビス４０によって制御板４に固定される。
【００４３】
つぎに、アンテナ５の構造について説明する。図６は、アンテナ５Ｂの構造を示す平面図である。図６に示すように、アンテナ５Ｂは、アンテナ線７ｂとアンテナ線７ｂを被覆する絶縁シート５ｂとを有する。アンテナ線７ｂは、水平方向に螺旋状に６巻きされ、絶縁シート５ｂによって全体が被覆されている。アンテナ５Ｂは、絶縁シート５ｂの片面に蒸着法等を用いてアンテナ線７ｂを所望の形状にプリントし、プリント上に絶縁シート５ｂを塗布することで実現される。アンテナ５Ｂは、下部筐体６の接合部分に形成された凹形状の溝に形成された切り欠きに対応した突起を有し、アンテナ線７Ａ，７Ｂによって制御板４と接続されている。
【００４４】
図７は、図６に示す切断線Ｃ−Ｃでアンテナ５Ｂを切断した断面図である。図７に示すように、アンテナ線７ｂは、絶縁シート５ｂに完全に被覆され、アンテナ線７ｂ同士が接触し、あるいはアンテナ線７ｂが他の導体と接触して電気的にショートすることがない。
【００４５】
つぎに、この発明の実施の形態１の変形例を説明する。実施の形態１では、アンテナ５Ｂは、アンテナ線７ｂを水平方向に螺旋状に６巻きしていたが、この実施の形態１の変形例では、アンテナ線を垂直方向に螺旋状に６巻きするようにしている。
【００４６】
図８は、アンテナ５Ｃの構造を示す平面図である。図８に示すように、アンテナ５Ｃは、アンテナ線７ｃと、アンテナ線７ｃを被覆する絶縁シート５ｃとを有する。また、アンテナ５Ｃは、突起を有し、この突起から露出したアンテナ線７Ｃ，７Ｄによって制御板４に接続されている。
【００４７】
図９は、図８に示す切断線Ｄ−Ｄでアンテナ５Ｃを切断した断面図である。図９に示すように、アンテナ線７ｃは、絶縁シート５ｃに完全に被覆されている。また、アンテナ線７ｃが垂直方向に積層されて形成されているため、アンテナ線７ｃによって形成される開口面積が均一になっている。
【００４８】
図１０は、アンテナ５Ｃの構造を示す斜視図である。図１０に示すように、アンテナ５Ｃは、アンテナ線７ｃの積層構造をとる。
【００４９】
この実施の形態１では、アンテナ５を上部筐体１と下部筐体６との接合部分に配置するようにして、情報端末装置１００が占有する空間内において、アンテナ５の開口面積を最大限にしている。その結果、アンテナナ５が捕捉する電磁束は多くなり、無線通信の送受信感度を向上させることができる。
【００５０】
また、アンテナ５を上部筐体１と下部筐体６とが嵌合して接合する接合部分に配置するようにして、アンテナ５を情報端末装置１００に強固に固定することができる。したがって、情報端末装置１００に外力等が加わってもアンテナ５は、位置ずれを起こさない。アンテナ５の位置が変化することがないため、情報端末装置１００の無線通信の信頼性を高めることができる。
【００５１】
また、アンテナ５の突起と下部筐体６の接合部分の溝に切り欠きとを合致させることによって、アンテナ５の位置決めが容易になり、アンテナ５の配設を容易にできることができる。
【００５２】
なお、上述の実施の形態１では、情報端末装置１００の上部筐体１と下部筐体６とがアンテナ５の側面とアンテナ５の上下面との双方を挟持するようにしていたが、アンテナ５の側面のみを挟持してアンテナ５の上下面の接触を避け、アンテナ５の損傷を防ぐようにしてもよい。また、逆にアンテナ５の上下面のみを挟持し、アンテナ５の配設を容易にするようにしてもよい。
【００５３】
また、上述の実施の形態１では、アンテナ線７ｂ，７ｃを螺旋状に６巻きするようにしていたが、情報端末装置１００の通信性能に応じて巻き数を変えるようにしてもよい。
【００５４】
また、上述の実施の形態１では、アンテナ線７ｂ，７ｃを絶縁シート５ｂ，５ｃにより完全に被覆するようにしていたが、絶縁シート５ｂ，５ｃ上にアンテナ線７ｂ，７ｃをプリントした後に絶縁シート５ｂ，５ｃを塗布することを省略してアンテナ線７ｂ，７ｃを完全に被覆しなくてもよい。
【００５５】
（実施の形態２）
つぎに、この発明の実施の形態２について説明する。実施の形態１では、上部筐体１と下部筐体６とが嵌合して接合する接合部分にアンテナ５を配置していたが、この実施の形態２では、上部筐体と下部筐体との接合部分にアンテナに加えてさらに弾性体を配置し、アンテナを安定的に固定するとともに、情報端末装置に防水性を持たせるようにしている。
【００５６】
図１１は、この発明の実施の形態２である情報端末装置１００Ａの組立分解図である。図２に示すように、情報端末装置１００Ａは、下部筐体６の接合部分にアンテナ５に配置した後、撥水性を有するエラストマー等を成型した弾性体８を配置するようにしている。なお図２と同一の構成部分には同一の符号を付している。
【００５７】
下部筐体６の接合部分には凹形状の溝が形成され、アンテナ５、弾性体８が順次配置されている。弾性体８の平面形状は、下部筐体６の接合部分の外形と同形同寸である。また、弾性体８の断面形状の上面部分は、上部筐体１の接合部分に対応した形状に形成され、弾性体８の断面形状の下面部分は、アンテナ５を配設した後の下部筐体６の接合部分に対応した形状に形成されている。そのため、下部筐体６の接合部分の溝にアンテナ５、弾性体８を順次配置した後、上部筐体１と下部筐体６とは、嵌合して接合することができるようになっている。
【００５８】
図１２は、上部筐体１と下部筐体６との接合部分との拡大断面図である。図１２に示すように、下部筐体６の接合部分には、凹形状の矩形の溝が形成され、この溝の底部にアンテナ５が配置されている。上部筐体１の接合部分の断面形状は、矩形の凸状の突き出し形状が形成され、下部筐体６の接合部分の断面形状は、矩形の凹状の溝形状が形成されている。弾性体８の断面形状は、上部筐体１Ａ側に凹状の溝が形成され、下部筐体６側に凸状の突き出しが形成されている。上部筐体１Ａの突き出しと弾性体８の溝とが対応し、下部筐体６の溝にアンテナ５が配置された後の溝と弾性体８の突き出しとが対応している。したがって、下部筐体６の溝にアンテナ５を配置した後、下部筐体６と弾性体８とは嵌合して接合し、弾性体８と上部筐体１とは嵌合して接合する。下部筐体６と上部筐体１とは、弾性体８を介して嵌合して接合するようになっている。
【００５９】
この実施の形態２では、弾性体８が上部筐体１と下部筐体６との接合時に押圧されて弾性変形し、アンテナ５を柔軟に固定するとともに、上部筐体１と下部筐体６との接合部分を密封し、情報端末装置１００Ａに防水性の機能を持たせることができる。したがって、情報端末装置１００Ａの無線通信の信頼性を高めるとともに、情報端末装置１００Ａの耐環境性を高めることができる。
【００６０】
つぎに、この実施の形態２の変形例１を説明する。この変形例１では、弾性体の断面形状を上下対称にして、弾性体８Ｂの製造と配置を容易にしている。図１３は、上部筐体１Ｂと下部筐体６Ｂとの接合部分の拡大断面図である。図１３に示すように、上部筐体１Ｂの接合部分と下部筐体６Ｂの接合部分との双方に凹形状の矩形の溝が形成され、下部筐体６Ｂの溝にアンテナ５を配置すると、下部筐体６Ｂの断面形状と上部筐体１Ｂの断面形状とは同形状になっている。弾性体８Ｂの断面形状は、上下面とも対称であり、ともに凸状の突き出しが形成さている。下部筐体６Ｂの溝にアンテナ５を配置し、弾性体８Ｂを配置すると、下部筐体６Ｂと上部筐体１Ｂとは、弾性体８Ｂを介して嵌合して接合する。
【００６１】
このように、上下の断面形状が対称な弾性体８Ｂを用いると、弾性体８Ｂの断面形状が上下対称であるので、弾性体８Ｂの製造を容易に行うことができる。また、弾性体８Ｂの断面形状が上下対称であるので、弾性体８Ｂを容易に配置することができる。
【００６２】
つぎに、この実施の形態２の変形例２を説明する。この変形例２では、断面形状が円形の弾性体を下部筐体６と上部筐体１との接合部分に挿入するようにしている。図１４は、上部筐体１Ｃと下部筐体６Ｃとの接合部分の拡大断面図である。図１４に示すように、下部筐体６Ｃの接合部分には凹形状の矩形の溝が形成され、この溝にアンテナ５、弾性体８Ｃが配置されている。弾性体８Ｃの断面形状は、円形であり、上部筐体１Ｃと下部筐体６Ｃとの接合時に弾性体８Ｃは、押圧されて弾性変形し、アンテナ５を柔軟に固定するとともに、上部筐体１Ｃと下部筐体６Ｂとを密封する。
【００６３】
このように断面形状が円形の弾性体８Ｃを用いると、弾性体８Ｃの断面形状が単純であるため、弾性体８Ｃの製造を容易に行うことができる。また、弾性体８Ｃの断面の径を下部筐体６Ｃの溝の幅よりも大きくすると、弾性体８Ｃを一度この溝に配置すると、アンテナ５を弾性体８Ｃによって密封でき、アンテナ５が下部筐体６Ｃの溝から脱落することを防止することができる。なお、弾性体８Ｃの断面形状は、楕円であってもよいし、不規則な円形であってもよい。
【００６４】
つぎに、この実施の形態２の変形例３を説明する。この変形例３では、弾性体を下部筐体に溝に形成された切り欠きに対応させ、下部筐体と上部筐体との密封を完全に行うようにしている。図１５は、下部筐体６Ｂに形成された切り欠き付近の拡大断面図である。図１５に示すように、下部筐体６Ｂの溝には、アンテナ５の突起に対応して切り欠きが形成され、この切り欠きを介してアンテナ線７Ａ，７Ｂが制御板４に接続され、ビス４１によって固定されている。そこで、弾性体８Ｂは、この切り欠きに対応した形状に形成され、この切り欠きによって生じた隙間を塞ぐようにしている。このようにすれば、切り欠き部分も、密封され、情報端末装置の防水性を確実なものとすることができる。
【００６５】
なお、上述の実施の形態１，２ではアンテナ５に突起を設け、この突起からアンテナ線端７Ａ，７Ｂを露出させるようにしていたが、アンテナ５に突起を設けずにアンテナ線７Ａ，７Ｂを露出させ、下部筐体６の接合部分の溝に貫通孔を形成し、この貫通孔にアンテナ線７Ａ，７Ｂを通して制御板４に接続するようにしてもよい。このようにすると、下部筐体６の溝に切り欠きを形成する必要がなく、下部筐体６の接合部分の形成が容易になる。
【００６６】
（実施の形態３）
つぎに、この発明の実施の形態３について説明する。実施の形態１，２では、アンテナを情報端末装置の下部筐体と上部筐体との接合部分に配置するようにしていたが、この実施の形態３では、アンテナを情報端末装置駆動用の電池をカバーする電池カバーに配置するようにしている。
【００６７】
図１６は、この実施の形態３にかかる情報端末装置１００Ｂの断面図である。図１６に示すように、情報端末装置１００Ｂは、構成部品を収納する筐体１３と、情報端末装置１００Ｂの制御動作を行う制御板１２と、制御動作に関する表示出力を行うＬＣＤ１１と、外部情報記憶媒体と無線通信を行うアンテナ９と、アンテナ９を制御板１２に接続する導線１０と、アンテナ９とともに弾性体８Ｄが配置される電池カバー１６と、電池カバー１６の開閉動作を可能にするヒンジ１７とを有している。
【００６８】
図１６において、電池カバー１６の内側の外周に凹形状の溝が形成され、この溝にアンテナ９、弾性体８Ｄが順次配置されている。弾性体８Ｄの外形は、この溝と同形であり、また、弾性体８Ｄの断面形状は、円形である。この溝の先端部分は、逆テーパ状になっていて、先端の幅は、弾性体８Ｄの幅よりも狭い。したがって、弾性体８Ｄを一度挿入すると、弾性体８Ｄは、この溝からは脱落しないようになっている。導線１０は、縒り線によって形成され、電池カバー１６に形成された貫通孔を通ってアンテナ９と制御板１２とを接続している。
【００６９】
図１７は、ヒンジ１７付近の情報端末装置１００Ｂの拡大断面図である。図１７に示すように、弾性体８Ｄは、電池カバー１６が閉じられると、電池カバー１６と筐体１３とによって押圧されて弾性変形し、アンテナ９を密封するとともに電池１５を密封する。
【００７０】
この実施の形態３では、アンテナ５を弾性体８Ｄとともに電池カバー１６に配置し、アンテナ９の開口面積を大きくするとともにアンテナ９に損傷を与えることなく固定するようにしている。また、弾性体８Ｄは、アンテナ９を密封するとともに電池１５も密封できるので、電池１５の機密性を高めることができる。このようにすると、情報端末装置１００Ｂの送受信感度を向上させ、かつ通信機能の信頼性を維持することができる。また、電池１５に対する機密性を高め、電池１５を外部から保護することができる。
【００７１】
なお、この実施の形態３では、アンテナ９を弾性体８Ｄによって密封して固定するようにしていたが、弾性体８Ｄを用いず、アンテナ９を電池カバー１６の溝に配置した後、他の部材で溝を埋めてアンテナ９を固定するようにしてもよい。溝の形成、弾性体８Ｄの配置が省略できるからである。また、導線１０の部材として縒り線を用いたが、柔軟性のある板バネ状の平板を用いてもよいし、コイル状のスプリングを用いてもよい。
【００７２】
また、この実施の形態３では、アンテナ９を電池カバー１６に配置していたが、電池カバー１６以外の他のカバーに配置するようにしてもよい。また、アンテナ９を、電池１５を収納する収納ボックスの周囲、あるいは電池１５以外の物を収納する収納ボックスの周囲に配置してもよい。
【００７３】
なお、上述の実施の形態１〜３は、たとえば携帯電話等に用いられるアンテナに適用してもよい。
【図面の簡単な説明】
【００７４】
【図１】この発明の実施の形態１にかかる情報端末装置の機能ブロック図である。
【図２】この発明の実施の形態１にかかる情報端末装置の組立分解図である。
【図３】この発明の実施の形態１にかかる情報端末装置の平面図である。
【図４】この発明の実施の形態１にかかる情報端末装置の断面図である。
【図５】この発明の実施の形態１にかかる接続部分の拡大断面図である。
【図６】この発明の実施の形態１にかかるアンテナの平面図である。
【図７】この発明の実施の形態１にかかるアンテナの断面図である。
【図８】この発明の実施の形態１にかかるアンテナの平面図である。
【図９】この発明の実施の形態１にかかるアンテナの断面図である。
【図１０】この発明の実施の形態１にかかるアンテナの構造を示す斜視図である。
【図１１】この発明の実施の形態２にかかる情報端末装置の組立分解図である。
【図１２】この発明の実施の形態２にかかる接合部分の拡大断面図である。
【図１３】この発明の実施の形態２にかかる接合部分の拡大断面図である。
【図１４】この発明の実施の形態２にかかる接合部分の拡大断面図である。
【図１５】この発明の実施の形態２にかかる接続部分の拡大断面図である。
【図１６】この発明の実施の形態３にかかる情報端末装置の断面図である。
【図１７】この発明の実施の形態３にかかる情報端末装置のヒンジ付近の拡大断面図である。
【符号の説明】
【００７５】
１，１Ａ，１Ｂ，１Ｃ  上部筐体
２，１１  ＬＣＤ
２Ａ  入力端子
３  ＬＣＤホルダ
４，１２  制御板
４Ａ  操作ボタン
４Ｂ  窪み
５，５Ｂ，５Ｃ，９，１３３  アンテナ
５ｂ，５ｃ  絶縁シート
６，６Ａ，６Ｂ，６Ｃ  下部筐体
７Ａ，７Ｂ，７Ｃ，７Ｄ  アンテナ線
７ｂ，７ｃ  アンテナ線
８，８Ａ，８Ｂ，８Ｃ，８Ｄ  弾性体
１０  導線
１３  筐体
１５  電池
１６  電池カバー
１７  ヒンジ
４０，４１  ビス
１００，１００Ａ，１００Ｂ  情報端末装置
１２１  照明部
１２２  撮像部
１２３  音声入出力部
１２４  光学読取処理部
１２５  カードインターフェース
１２６  外部通信線部
１２７  入力部
１２８  無線部
１２９  メモリ部
１３０  制御部
１３１  ＲＦＩＤ処理部
１３２  記憶媒体
【図１】
2006172010.tif 000003
【図２】
2006172010.tif 000004
【図３】
2006172010.tif 000005
【図４】
2006172010.tif 000006
【図５】
2006172010.tif 000007
【図６】
2006172010.tif 000008
【図７】
2006172010.tif 000009
【図８】
2006172010.tif 000010
【図９】
2006172010.tif 000011
【図１０】
2006172010.tif 000012
【図１１】
2006172010.tif 000013
【図１２】
2006172010.tif 000014
【図１３】
2006172010.tif 000015
【図１４】
2006172010.tif 000016
【図１５】
2006172010.tif 000017
【図１６】
2006172010.tif 000018
【図１７】
2006172010.tif 000019